【手続補正書】
【提出日】平成16年4月23日(2004.4.23)
【手続補正１】
【補正対象書類名】明細書
【補正対象項目名】００１９
【補正方法】変更
【補正の内容】
【００１９】
図１に、本発明の一実施形態による、ＰＣＬシステム、１つまたは複数の関心のあるターゲット、および複数の送信機を含むレーダ検出システム１０を示す。ＰＣＬシステム１００は、マルチスタティック広範囲移動ターゲット監視センサ群を表す。ＰＣＬシステム１００は、多くの場合、他の目的で動作中でありうる発信源からの連続波（「ＣＷ」）電磁エネルギーを利用する。発信源としてテレビ放送局およびＦＭラジオ局を挙げることができる。好ましくは、ＰＣＬシステム１００は、発信源１１１、１１２、および１１４等、複数の非制御送信機からの送信を受信しうる。より好ましくは、送信機１１１、１１２、および１１４は、商用ＦＭ放送送信機および／または中継機ならびに商用ＨＤＴＶのＴＶ放送送信機および／または中継機を含む広帯域発信源であることができる。しかし、送信機１１１、１１２、および１１４はこれら発信源に限定されず、非制御信号を送信する任意の装置、システムまたは手段を含みうる。
【手続補正２】
【補正対象書類名】明細書
【補正対象項目名】００２０
【補正方法】変更
【補正の内容】
【００２０】
送信機１１１、１１２、および１１４は、広帯域電磁エネルギー送信をあらゆる方向に送信することができる。これら送信によっては、関心のある１つまたは複数のターゲット１５０で反射され、そしてＰＣＬシステム１００に受信されるものがある。たとえば、反射送信１３０はターゲット１５０で反射され、そしてＰＣＬシステム１００に受信される。さらに、送信機１１４に関しては、参照送信１４０がＰＣＬシステム１００に直接受信される。ＰＣＬシステム１００は参照送信１４０と反射送信１３０とを比較して、上に述べたように、関心のある１つまたは複数のターゲット１５０についての位置情報を求めることができる。位置情報は、ロケーション、速度、および加速度等、ターゲット１５０の位置に関連する情報をいずれも含むことができ、当業者に既知のプロセスに従って導き出すことができる。
【手続補正３】
【補正対象書類名】明細書
【補正対象項目名】００２１
【補正方法】変更
【補正の内容】
【００２１】
図２に、本発明の一実施形態によるＰＣＬシステムのブロック図を示す。ＰＣＬシステム１００は、アンテナサブシステム２００、（「ＡＤＣ」アナログ／デジタル変換器サブシステム２２０、処理サブシステム２４０、および出力装置２６０を含みうる。アンテナサブシステム２００は少なくとも１つのアンテナを使用して、反射送信１３０および参照送信１４０を含む電磁エネルギー送信を受信する。ＡＤＣサブシステム２２０は、アンテナサブシステム２００の出力を受け取り、あるサンプリングレートで信号をサンプリングし、各サンプリング間隔におけるアナログ信号の大きさを用いてデジタル波形を形成することにより、入力における信号のデジタルサンプルを出力する。処理サブシステム２４０は、組立サブシステム２２０の出力を受信し、それに従って信号を処理する。出力装置２６０が処理結果を受け取り、処理サブシステム２４０の出力を表示する。
【手続補正４】
【補正対象書類名】明細書
【補正対象項目名】００２５
【補正方法】変更
【補正の内容】
【００２５】
反射ターゲット信号３１４はアンテナアレイ３２０で受信することができる。反射ターゲット信号３１４は、ターゲットによって反射された送信信号３４０および３４２に相関する信号であることができる。反射ターゲット信号３１４を送信信号と比較して、速度、ロケーション等のターゲットパラメータを求めることができる。ターゲットアンテナアレイ３２０は、反射信号３１４と共に環境内の他の任意の同一チャネル信号も受信しうる。そして、ターゲットアンテナアレイ３２０は同一チャネル信号３１６を同一チャネル軽減処理システム３０２に供給する。同一チャネル信号３１６は、受信し、ＰＣＬ動作に利用すべき同一チャネル信号を反映しうる。これら同一チャネル信号は、イルミネータ信号のマルチパスイメージ、航空機または宇宙に打ち上げられたロケット等、監視下領域中のターゲットからのイルミネータの遅延およびドップラーシフト反射を含みうる。同一チャネル信号は、第１のイルミネータと同じ動作周波数の他の離れた放送源も含みうる。したがって同一チャネル信号３１６は、送信信号３４０および３４２と反射信号３１４とが混成したものである場合があり、これら信号の推定値として使用することができる。より具体的には、同一チャネル信号は、強いダイレクトパス信号が反射ターゲットパス信号を支配しているため、送信信号またはダイレクト信号の良好な推定値であることができる。
【手続補正５】
【補正対象書類名】明細書
【補正対象項目名】００３１
【補正方法】変更
【補正の内容】
【００３１】
第１のキャンセル後、残っている同一チャネル信号を第２のキャンセル構成要素３０６の第２のイルミネータ適応ビーム形成器３３０で受け取る。第２のキャンセル構成要素３０６は、リファレンス再生器３３２および適応キャンセルフィルタ３３４も含む。適応ビーム形成器３３０は適応ビーム形成器３２２に相関するが、必ずしも同じである必要はない。適応ビーム形成器３２２および３３０は異なる構成を有しうる。適応ビーム形成器３３０は、第２のダイレクトパス信号に対してビーム形成を行う役割を果たす。開示される実施形態によれば、発信源すなわちイルミネータの地理的およびスペクトル的分布に対する規制上の制約により、第２の残留同一チャネルソースが第１のイルミネータと同じ周波数で動作している、離れたところにある照射源であるという状況が生じうる。たとえば、２つの送信機が、２つのラジオ局等ＦＭ帯中の同じ周波数で動作し、所与の同じ周波数で動作している信号を送信する場合がある。上に述べた例によれば、送信機３１２は、送信機３１０と同じ周波数で送信している第２のイルミネータでありうる。したがって、送信信号３４２は、送信信号３４０と同じ周波数で動作している第２のダイレクトパス信号でありうる。第２のキャンセル構成要素３０６は、第１のキャンセル構成要素３０４が第１のダイレクトパス信号をキャンセルするのとまったく同じように、第２のダイレクトパス信号をキャンセルする。
【手続補正６】
【補正対象書類名】明細書
【補正対象項目名】００３４
【補正方法】変更
【補正の内容】
【００３４】
再生された第２のダイレクトパス信号を有する同一チャネル信号を、適応キャンセルフィルタ３３４で受け取る。キャンセルフィルタ３３４は、キャンセル前に、再生された第２のダイレクトパス信号をクリーンアップする役割を果たす。キャンセルフィルタ３３４は、第２のダイレクトパス信号の周波数帯外の、ターゲットアンテナアレイ３２０によって集められた漂遊エネルギーを除去する。濾波後、次に第２のキャンセル構成要素３０６が、再生されたきれいな第２のダイレクトパス信号を、ターゲットアンテナアレイ３２０で受信した同一チャネル信号からキャンセルする。第１および第２のダイレクトパス信号を処理することにより、第１および第２のイルミネータ成分が、ターゲット信号等の所望の信号を歪ませることなく低減される。したがって、同一チャネル軽減処理システム３０２は軽減された同一チャネル信号３３１を出力する。軽減された信号３３１は、好ましくは、第１および第２のダイレクトパス信号のないターゲット信号を含む。軽減された信号３３１は次に、強いダイレクトパス信号を考慮する必要なく事前検出処理構成要素により、より効率的に処理することができる。さらに、同一チャネル干渉が低減されていることから、反射され受信されたターゲット信号はターゲットパラメータを求める際により正確でありうる。
【手続補正７】
【補正対象書類名】図面
【補正対象項目名】図１
【補正方法】変更
【補正の内容】
【図１】
2004526165.tif 000001
【手続補正８】
【補正対象書類名】図面
【補正対象項目名】図３
【補正方法】変更
【補正の内容】
【図３】
2004526165.tif 000002